(57)【要約】【課題】LEDの点灯を、治具を必要とすることなく、LEDを実装した装置のみで確認する。【解決手段】LEDユニットは、LE1D及びLED制御回路2を備えて構成される。LED制御回路2は、対応するLE1Dの点灯を制御する点灯回路4と、対応するLED1を光センサとして使用したときのLED1の受光量を検知する受光回路3とにより構成されて、外部の制御手段から切替信号により、点灯回路4と受光回路3とが切替可能である。LEDユニットに、LED1が2つ設けられて一方のLEDの点灯状態を検査する場合に、検査しようとするLEDを点灯状態とし、他方のLEDを消灯状態とし、その制御回路を受光回路に切り替え、検査しようとするLEDからの光を前記他方のLEDに受光させ、その受光量を前記受光回路に検知させることにより、前記制御手段にLEDの点灯状態を確認させる。【選択図】図１
2010230568.tif 000002
【特許請求の範囲】
【請求項１】
ＬＥＤ及びＬＥＤ制御回路を備えて構成されるＬＥＤユニットにおけるＬＥＤの点灯状態を確認するＬＥＤの検査方法において、
前記ＬＥＤ制御回路は、対応するＬＥＤの点灯を制御する点灯回路と、対応するＬＥＤを光センサとして使用したときのＬＥＤの受光量を検知する受光回路とにより構成されて、外部の制御手段から切替信号により、点灯回路と受光回路とが切替可能であり、
前記ＬＥＤユニットに、ＬＥＤが２つ設けられて一方のＬＥＤの点灯状態を検査する場合に、検査しようとするＬＥＤを点灯状態とし、他方のＬＥＤを消灯状態とし、その制御回路を受光回路に切り替え、検査しようとするＬＥＤからの光を前記他方のＬＥＤに受光させ、その受光量を前記受光回路に検知させることにより、前記制御手段にＬＥＤの点灯状態を確認させることを特徴とするＬＥＤの検査方法。
【請求項２】
前記受光回路は、検査しようとするＬＥＤの消灯時の外来光による受光量を検知し、前記検査しようとするＬＥＤの点灯時の受光量と前記外来光による受光量との差が予め決められた値より大きい場合に、検査しようとするＬＥＤの点灯状態が正常であると、前記制御手段に確認させることを特徴とする請求項１記載のＬＥＤの検査方法。
【請求項３】
ＬＥＤ及びＬＥＤ制御回路を備えて構成されるＬＥＤユニットにおけるＬＥＤの点灯状態を確認するＬＥＤの検査方法において、
前記ＬＥＤ制御回路は、対応するＬＥＤの点灯を制御する点灯回路と、対応するＬＥＤを光センサとして使用したときのＬＥＤの受光量を検知する受光回路とにより構成されて、外部の制御手段から切替信号により、点灯回路と受光回路とが切替可能であり、
前記ＬＥＤの近傍に蓄光塗料が塗布されており、
前記ＬＥＤユニットに、ＬＥＤが１つ設けられてそのＬＥＤの点灯状態を検査する場合に、そのＬＥＤを点灯状態として前記蓄光塗料に蓄光させ、その後、前記ＬＥＤを消灯状態とし、制御回路を受光回路に切り替え、前記蓄光塗料からの光を前記ＬＥＤに受光させ、その受光量を前記受光回路に検知させることにより、前記制御手段にＬＥＤの点灯状態を確認させることを特徴とするＬＥＤの検査方法。
【請求項４】
ＬＥＤ及びＬＥＤ制御回路を備えて構成されるＬＥＤユニットにおいて、
前記ＬＥＤ制御回路は、対応するＬＥＤの点灯を制御する点灯回路と、対応するＬＥＤを光センサとして使用したときのＬＥＤの受光量を検知する受光回路とにより構成されて、外部の制御手段から切替信号により、点灯回路と受光回路とが切替可能であり、
前記ＬＥＤユニットに、ＬＥＤが２つ設けられて一方のＬＥＤの点灯状態を検査する場合に、検査しようとするＬＥＤを点灯状態とし、他方のＬＥＤを消灯状態とし、その制御回路を受光回路に切り替え、検査しようとするＬＥＤからの光を前記他方のＬＥＤに受光させ、その受光量を前記受光回路に検知させることにより、前記制御手段にＬＥＤの点灯状態を確認させることを特徴とするＬＥＤユニット。
【請求項５】
ＬＥＤ及びＬＥＤ制御回路を備えて構成されるＬＥＤユニットにおいて、
前記ＬＥＤ制御回路は、対応するＬＥＤの点灯を制御する点灯回路と、対応するＬＥＤを光センサとして使用したときのＬＥＤの受光量を検知する受光回路とにより構成されて、外部の制御手段から切替信号により、点灯回路と受光回路とが切替可能であり、
前記ＬＥＤの近傍に蓄光塗料が塗布されており、
前記ＬＥＤユニットに、ＬＥＤが１つ設けられてそのＬＥＤの点灯状態を検査する場合に、そのＬＥＤを点灯状態として前記蓄光塗料に蓄光させ、その後、前記ＬＥＤを消灯状態とし、制御回路を受光回路に切り替え、前記蓄光塗料からの光を前記ＬＥＤに受光させ、その受光量を前記受光回路に検知させることにより、前記制御手段にＬＥＤの点灯状態を確認させることを特徴とするＬＥＤユニット。
【発明の詳細な説明】
【技術分野】
【０００１】
本発明は、ＬＥＤ（発光ダイオード）の検査方法及びＬＥＤユニットに係り、特に、ＬＥＤの発光状態を他のＬＥＤ、あるいは、他のＬＥＤにより検査することを可能にしたＬＥＤの検査方法及びＬＥＤの発光状態を検査可能なＬＥＤユニットに関する。
【０００２】
装置に関する。
【背景技術】
【０００３】
一般に、インジケータ等の表示装置としてＬＥＤを用いる装置の製造においては、その検査工程にＬＥＤの発光色及び発光状態を確認する検査を実施している。このようなＬＥＤの検査方法としては、作業者の目視による確認以外に様々な自動検査方法の従来技術が知られている。
【０００４】
従来技術の１つとして、ＬＥＤの発光色に応じたカラーフィルタを備えた複数の光センサの受光量を確認することにより、多色ＬＥＤの検査を行うという技術が、例えば、特許文献１等に記載されている。また、従来技術の他の１つとして、特性の異なるフィルタを複数用い、それぞれのフィルタからの光の透過量を確認することにより多色ＬＥＤの特性検査を行という技術が、例えば、特許文献２等に記載されて知られている。また、従来技術のさらに他の１つとして、色によって感度の異なるフィルタを用いることにより１つのフォトセンサの光量から発光色を検査するという技術が、例えば、特許文献３等に記載されて知られている。
【先行技術文献】
【特許文献】
【０００５】
【特許文献１】特開平１１−２０１８６８号公報
【特許文献２】特開２００２−１９５８８２号公報
【特許文献３】特開２００１−３１１６６３号公報
【発明の概要】
【発明が解決しようとする課題】
【０００６】
前述で説明したような従来技術によるＬＥＤの検査方法を用いることにより、作業者の技能に頼ることなく自動的にかつ効率的にＬＥＤの検査を実施することができる。
【０００７】
しかし、特許文献１、２に記載の方法は、検査治具としてＬＥＤの光量を検査するためのセンサが必要であり、検査を行うに当たって事前に検査すべきＬＥＤを備える装置及び治具の位置の検査場所を決めておく必要のあるものである。また、特許文献３に記載の方法は、センサの受光量を発光色の判別に用いるというものであり、輝度の確認を行うことが困難であるという問題点を有している。また、特許文献１〜３に記載の方法は、その何れの方法も、装置の検査台数に応じた数の治具が必要となるという問題点を有している。
【０００８】
本発明の目的は、前述したような従来技術の問題点を解決し、ＬＥＤの点灯を、治具を必要とすることなく、ＬＥＤを実装した装置のみで確認することができるようにしたＬＥＤの検査方法及びＬＥＤユニットを提供することにある。
【課題を解決するための手段】
【０００９】
本発明によれば前記目的は、ＬＥＤ及びＬＥＤ制御回路を備えて構成されるＬＥＤユニットにおけるＬＥＤの点灯状態を確認するＬＥＤの検査方法において、前記ＬＥＤ制御回路は、対応するＬＥＤの点灯を制御する点灯回路と、対応するＬＥＤを光センサとして使用したときのＬＥＤの受光量を検知する受光回路とにより構成されて、外部の制御手段から切替信号により、点灯回路と受光回路とが切替可能であり、前記ＬＥＤユニットに、ＬＥＤが２つ設けられて一方のＬＥＤの点灯状態を検査する場合に、検査しようとするＬＥＤを点灯状態とし、他方のＬＥＤを消灯状態とし、その制御回路を受光回路に切り替え、検査しようとするＬＥＤからの光を前記他方のＬＥＤに受光させ、その受光量を前記受光回路に検知させることにより、前記制御手段にＬＥＤの点灯状態を確認させることにより達成される。
【発明の効果】
【００１０】
本発明によれば、治具を必要とすることなく、ＬＥＤを実装した装置のみでＬＥＤの点灯を確認することができる。
【図面の簡単な説明】
【００１１】
【図１】本発明の一実施形態によるＬＥＤユニットの構成を示すブロック図である。
【図２】通常動作時におけるＬＥＤ点灯制御の処理を説明するフローチャートである。
【図３Ａ】ＬＥＤを２つ備える場合の点灯確認の処理動作を説明するフローチャート（その１）である。
【図３Ｂ】ＬＥＤを２つ備える場合の点灯確認の処理動作を説明するフローチャート（その２）である。
【図４】ＬＥＤａの点灯確認時のＬＥＤユニットの状態を説明する図である。
【図５】ＬＥＤｂの点灯確認時のＬＥＤユニットの状態を説明する図である。
【図６】ＬＥＤの点灯色の確認を行う場合のＬＥＤユニットの状態を説明する図である。
【図７】点灯色を確認する処理動作を説明するフローチャートである。
【図８】ＬＥＤ単体で点灯の確認を行うことを可能にしたＬＥＤユニットの構成例を説明する図である。
【図９】図８に示す例でＬＥＤから蓄光塗料に蓄光を行う状態を示す図である。
【図１０】蓄光塗料からの光をＬＥＤにより受光する状態を示す図である。
【図１１】蓄光塗料を用いてＬＥＤ単体で点灯の確認を行う点灯確認の処理動作を説明するフローチャートである。
【発明を実施するための形態】
【００１２】
以下、本発明によるＬＥＤの検査方法及びＬＥＤユニットの実施形態を図面により詳細に説明する。
【００１３】
［実施の形態１］
図１は本発明の一実施形態によるＬＥＤユニットの構成を示すブロック図である。
【００１４】
図１に示す本発明の実施形態によるＬＥＤユニットは、複数のＬＥＤ１と、複数のＬＥＤ１のそれぞれに対応する複数のＬＥＤ制御回路２とにより構成される。ＬＥＤ制御回路２は、対応するＬＥＤを光センサとして使用するための受光信号検出回路（以下、受光回路という）３と、対応するＬＥＤの点灯を制御する点灯回路４とを備えて構成されている。そして、ＬＥＤ制御回路２は、図示ＬＥＤユニットが組み込まれている図示しない装置の制御装置から受光回路３と点灯回路４とを切り替える点灯／受光回路切替信号が加えられるようになっている。
【００１５】
前述において、受光回路３は、本発明によるＬＥＤの検査のために使用されるものであり、検査方法の詳細については後述する。また、点灯回路４は、図示ＬＥＤユニットが組み込まれている図示しない装置の制御装置から与えられる制御信号に従って対応するＬＥＤ１の点灯を制御する。
【００１６】
前述したようなＬＥＤユニットは、複数の制御回路２が１つの半導体集積回路として構成され、その半導体集積回路に複数のＬＥＤ１が接続されて構成されるのが一般的であり、各種の装置のインジケータ等の表示装置として装置に組み込まれて使用される。
【００１７】
図２は通常動作時におけるＬＥＤ点灯制御の処理を説明するフローチャートであり、次に、これについて説明する。ここでの処理は、ＬＥＤユニットが組み込まれている図示しない装置の制御装置が各ＬＥＤ制御装置毎に行う処理である。
【００１８】
（１）制御装置は、処理を開始すると、まず、全てのＬＥＤ制御回路２の点灯／受光回路切替信号によって、ＬＥＤ制御回路２内の点灯回路４が有効になるように切り替える（ステップ２０１）。
【００１９】
（２）次に、１つのＬＥＤ１を選択して、そのＬＥＤに対する点灯確認検査要求があるか否かをチェックし、要求がある場合、後述するＬＥＤ点灯確認検査動作に移行する（ステップ２０２）。
【００２０】
（３）ステップ２０２のチェックで、点灯確認検査要求がなかった場合、設定されているＬＥＤ点灯／消灯設定情報を読み取り、読み取った値に従ってＬＥＤの点灯／消灯を設定して、ＬＥＤの点灯、消灯を制御した後、ステップ２０２からの処理に戻って、全てのＬＥＤに対する処理が終了するまで処理を繰り返す（ステップ２０３、２０４）。
【００２１】
なお、前述した処理において、ＬＥＤの点灯確認機能追加による追加項目は、ＬＥＤ点灯回路への切替とＬＥＤ点灯確認検査要求をチェックする部分のみであり他は従来のＬＥＤ点灯動作と同様である。
【００２２】
図３Ａ、図３ＢはＬＥＤを２つ備える場合の点灯確認の処理動作を説明するフローチャート、図４はＬＥＤａの点灯確認時のＬＥＤユニットの状態を説明する図、図５はＬＥＤｂの点灯確認時のＬＥＤユニットの状態を説明する図であり、次に、これらの図を参照して点灯確認の処理について説明する。なお、ここで説明する例では、２つのＬＥＤをＬＥＤａ、ＬＥＤｂであるとしており、また、２つのＬＥＤの配置は、任意であるが一方のＬＥＤで発光した光が、他方のＬＥＤに届くものとする。また、ここでの処理は、前述した場合と同様に、ＬＥＤユニットが組み込まれている図示しない装置の制御装置により行われる処理であり、点灯確認の処理動作に入る前のＬＥＤａの制御回路とＬＥＤｂの制御回路とは、点灯／受光回路切替信号によって点灯回路に切り替わっているものとする。
【００２３】
（１）まず、ＬＥＤａの点灯確認を行うため、ＬＥＤａ及びＬＥＤｂを消灯状態にし、次に、ＬＥＤｂの制御回路１０を受光回路１１に切り替え、ＬＥＤａの制御回路６を点灯回路８のままとしておく。但し、この時点でＬＥＤａ、ＬＥＤｂは消灯状態である（ステップ３０１、３０２）。
【００２４】
（２）次に、ＬＥＤｂの受光量をＬＥＤｂの制御回路１０の受光回路１１により読み取る。読み取った値をＡとして、この値を一時記憶する。ＬＥＤａは、未だ消灯状態にあるため、読み取った値Ａは外来光の値になる（ステップ３０３）。
【００２５】
（３）次に、ＬＥＤａの制御回路６の点灯回路８にＬＥＤａを点灯させる。この状態のとき、ＬＥＤユニットは、図４に示しているように、ＬＥＤａが発光状態となり、ＬＥＤｂが発光状態となったＬＥＤａからの光を検出している状態となる（ステップ３０４）。
【００２６】
（４）図４に示している状態で、ＬＥＤｂの受光量をＬＥＤｂの制御回路１０の受光回路１１により読み取る。読み取った値をＢとして、この値を一時記憶する。この読み取った値Ｂは、ＬＥＤａが発光した光の光量に、外来光の光量を加えたものをＬＥＤｂが検出した値になる（ステップ３０５）。
【００２７】
（５）次に、ステップ３０５の処理で読み取った光量Ｂからステップ３０３の処理で読み取った光量Ａを減じた値が、ＬＥＤａの点灯による受光量による点灯判定値より大きいか否かを判定し、Ｂ−ＡがＬＥＤ点灯判定値より小さかった場合、ＬＥＤａの点灯不良と判定する（ステップ３０６、３０７）。
【００２８】
（６）ステップ３０６の判定で、Ｂ−ＡがＬＥＤ点灯判定値より大きかった場合、ＬＥＤａの点灯良好であるとして、次に、ＬＥＤｂの点灯確認の処理に移り、ＬＥＤａの制御回路６の点灯回路８にＬＥＤａを消灯させる（ステップ３０８）。
【００２９】
（７）次に、ＬＥＤａの制御回路６を受光回路７に切り替え、ＬＥＤｂの制御回路１０を点灯回路１２に切り替える。この状態で、ＬＥＤａ、ＬＥＤｂは消灯状態である（ステップ３０９、３１０）。
【００３０】
（８）次に、ＬＥＤａの受光量をＬＥＤａの制御回路６の受光回路７により読み取る。読み取った値をＣとして、この値を一時記憶する。ＬＥＤｂは、消灯状態にあるため、読み取った値Ｃは外来光の値になる（ステップ３１１）。
【００３１】
（９）次に、ＬＥＤｂの制御回路１０の点灯回路１２にＬＥＤｂを点灯させる。この状態のとき、ＬＥＤユニットは、図５に示しているように、ＬＥＤｂが発光状態となり、ＬＥＤａが発光状態となったＬＥＤｂからの光を検出している状態となる（ステップ３１２）。
【００３２】
（10）図５に示している状態で、ＬＥＤａの受光量をＬＥＤａの制御回路６の受光回路７により読み取る。読み取った値をＤとして、この値を一時記憶する。この読み取った値Ｄは、ＬＥＤｂが発光した光の光量に、外来光の光量を加えたものをＬＥＤａが検出した値になる（ステップ３１３）。
【００３３】
（11）次に、ステップ３１３の処理で読み取った光量Ｄからステップ３１１の処理で読み取った光量Ｃを減じた値が、ＬＥＤｂの点灯による受光量による点灯判定値より大きいか否かを判定し、Ｄ−ＣがＬＥＤ点灯判定値より大きかった場合、ＬＥＤｂの点灯良好と判定し、Ｄ−ＣがＬＥＤ点灯判定値より小さかった場合、ＬＥＤｂの点灯不良と判定する（ステップ３１４〜３１６）。
【００３４】
前述した処理の例は、ＬＥＤが２つの場合についてであったが、ＬＥＤが３つ以上の場合の点灯確認検査も、前述したと同様の手順により点灯確認を行うことが可能である。
【００３５】
［実施の形態２］
図６はＬＥＤの点灯色の確認を行う場合のＬＥＤユニットの状態を説明する図、図７は点灯色を確認する処理動作を説明するフローチャートである。図６、図７に示す例は、ＬＥＤｃ、ＬＥＤｄ、ＬＥＤｅの３つのＬＥＤを実装したＬＥＤユニットで、ＬＥＤｃとＬＥＤｅとか異なる発光色、ここでは、ＬＥＤｃが赤色、ＬＥＤｅが緑色の発光色持つものとして、ＬＥＤｄの発光色が何かを確認する例である。
【００３６】
なお、ここで説明する例は、ＬＥＤとして、赤及び緑の発光色を有するもののみを使用するものとし、発光色を確認するＬＥＤｄは、赤色を発光するものとして示している。また、これらの発光色を有するＬＥＤは、光センサとして使用する場合、自ＬＥＤの発光色の色に最大の検出感度を有する。
【００３７】
（１）確認動作に入る前のそれぞれのＬＥＤの制御回路１４、１７、２０は、点灯／受光回路切替処理によって点灯回路に切り替わっていて、全てのＬＥＤｃ〜ＬＥＤｅが消灯状態に制御されてるいるものとする（ステップ７０１）。
【００３８】
（２）次に、受光量読み取りに用いるＬＥＤｃとＬＥＤｅとの制御回路１４、２０を受光回路１５、２１に切り替え、ＬＥＤｄを点灯する。この状態のとき、ＬＥＤユニットは、図６に示しているように、ＬＥＤｄが発光状態となり、ＬＥＤｃ、ＬＥＤｅが発光状態となったＬＥＤｄからの光を検出している状態となる（ステップ７０２、７０３）。
【００３９】
（３）その後、ＬＥＤｃの受光量をＬＥＤｃの制御回路１４の受光回路１５により読み取り、読み取った値をＡとして、この値を一時記憶する。また、ＬＥＤｅの受光量をＬＥＤｅの制御回路２０の受光回路２１により読み取り、読み取った値をＢとして、この値を一時記憶する（ステップ７０４、７０５）。
【００４０】
（４）次に、ステップ７０４、７０５の処理で読み取った受光量の値Ａ、Ｂについて、
（Ａ−Ｂ）＞予め定めた点灯色判定値
が成り立つか否かを判定し、成り立っていた場合、すなわち、赤色を発光するＬＥＤｃによる受光量と緑色を発光するＬＥＤｅによる受光量との差が所定値以上あった場合、ＬＥＤｄの発光色が赤であると判定し、また、逆の場合、ＬＥＤｄの発光色が赤でない、すなわち、説明している例では緑であると判定する（ステップ７０６〜７０８）。
【００４１】
前述した例では、ＬＥＤｄの点灯色を確認するものとして説明したが、ＬＥＤｃの点灯色についても、同様に色の同じＬＥＤｄと色の異なるＬＥＤｅを用いることにより確認することができる。また、ＬＥＤｅの点灯色の確認は、ＬＥＤｃ点灯確認を行う時のＬＥＤｅ受光量がＬＥＤｄ受光量に比べｗ少ないこと、または、ＬＥＤｄの点灯色確認を行うときのＬＥＤｅの受光量がＬＥＤｃの受光量に比べ少ないことにより確認することが可能である。また、前述した例では、ＬＥＤを３つ実装した場合について説明したが、さらに多くのＬＥＤを実装した場合にも、前述したと同様の手順により点灯色を確認することができる。
【００４２】
さらに、前述した例は、点灯色の確認について説明したが、図１〜図５により説明した検査手順を組み合わせることにより点灯量の確認を行うことも可能である。
【００４３】
［実施の形態２］
図８はＬＥＤ単体で点灯の確認を行うことを可能にしたＬＥＤユニットの構成例を説明する図、図９は図８に示す例でＬＥＤから蓄光塗料に蓄光を行う状態を示す図、図１０は蓄光塗料からの光をＬＥＤにより受光する状態を示す図、図１１は蓄光塗料を用いてＬＥＤ単体で点灯の確認を行う点灯確認の処理動作を説明するフローチャートである。
【００４４】
図８に示すＬＥＤユニットは、ＬＥＤを１つだけ持つユニットであり、基板に２５に取り付けられたＬＥＤ２４と、ユニットを構成するケース２２と、ケースの内面のＬＥＤ２４の近傍に塗布された蓄光塗料２３とにより構成される。そして、ＬＥＤ２４がその制御回路２６の点灯回路２８により、図９に示しているように点灯されると、ケース２２の穴から点灯光が放射されると共に、塗布した蓄光塗料にも点灯光が当たり蓄光される。
【００４５】
また、その後に、ＬＥＤ２４を消灯し、ＬＥＤ２４の制御回路２６を受光回路２７に切替て、蓄光塗料２３に蓄光された光を受光することによりＬＥＤ２４単体での点灯確認を行うことができる。
【００４６】
次に、図１１に示すフローを参照して、ＬＥＤ単体で点灯の確認を行う点灯確認の処理動作を説明する。
【００４７】
（１）確認動作に入る前のＬＥＤ２４制御回路２６は、点灯／受光回路切替信号によって点灯回路２８に切り替わっており、ます、ＬＥＤ２４を１０秒間点灯し蓄光塗料２３に蓄光させる。この状態が、図９に示している状態である（ステップ１１１）。
【００４８】
（２）次に、ＬＥＤ２４を消灯しその制御回路２６を受光回路２７に切替えると、蓄光塗料から光が放射されてＬＥＤに届く。この状態が、図１０に示している状態である（ステップ１１２、１１３）。
【００４９】
（３）ステップ１１３の処理を行った直後に、ＬＥＤ２４の受光量を読み取り、さらに、１０秒後に再度ＬＥＤ２４の受光量を読み取り、それぞれの読み取り値をＡ、Ｂとして記憶する（ステップ１１４〜１１６）。
【００５０】
（４）次に、ステップ１１４、１１６の処理で読み取った受光量の値Ａ、Ｂについて、
（Ａ−Ｂ）＞予め定めたＬＥＤの点灯判定値
が成り立つか否かを判定し、成り立っていた場合、ＬＥＤ２４の点灯良好と判定し、成り立っていなかった場合、ＬＥＤ２４の点灯不良と判定する（ステップ１１７〜１１９）。
【００５１】
前述したステップ１１７の判定は、一般に、蓄光塗料からの放射光が時間の経過と共に指数関数的に低減することが知られているので、Ａ−Ｂの値が判定値以上あることを確認することにより外来光の影響を取り除いて、ＬＥＤの点灯確認の判定を行う判定である。
【００５２】
また、ステップ１１１の処理で点灯時間を１０秒としたが、用いる蓄光塗料の蓄光性能が高ければ短くすることができる。
【００５３】
前述した本発明の実施形態は、ＬＥＤを実装した基板や装置の製造におけるＬＥＤ動作確認、装置出荷後のＬＥＤ検査に用いて有効であり、また、装置にセルフテストの機能を組み込むことができるので、装置稼動後のＬＥＤ故障／劣化の確認も人手を介することなく実施が可能である。
【符号の説明】
【００５４】
１  ＬＥＤ
２  ＬＥＤ制御回路
３  受光回路
４  点灯回路
２２  ケース
２３  蓄光塗料
【図１】
2010230568.tif 000003
【図２】
2010230568.tif 000004
【図３Ａ】
2010230568.tif 000005
【図３Ｂ】
2010230568.tif 000006
【図４】
2010230568.tif 000007
【図５】
2010230568.tif 000008
【図６】
2010230568.tif 000009
【図７】
2010230568.tif 000010
【図８】
2010230568.tif 000011
【図９】
2010230568.tif 000012
【図１０】
2010230568.tif 000013
【図１１】
2010230568.tif 000014